(57)【要約】【課題】  本発明の目的は、外部装置を用いて無電で充電が可能な３Ｄメガネ、充電用クレイドル、３Ｄディスプレイ装置及び３Ｄメガネ無線充電システムを提供することにある。【解決手段】  ３Ｄメガネ、充電用クレイドル、３Ｄディスプレイ装置及び３Ｄメガネ無線充電システムを提供する。本３Ｄディスプレイ装置と連動する３Ｄメガネは、外部装置を用いて無線で充電する無線充電部と、及び無線充電部によって充電されたエネルギーで電源を供給する電源供給部とを含む。これにより、３Ｄメガネをケーブル無しでも無線で充電することにより、３Ｄメガネの充電時にユーザの便宜性が増大する。【選択図】図３
2011193719.tif 000002
【特許請求の範囲】
【請求項１】
３Ｄディスプレイ装置と連動する３Ｄメガネにおいて、
外部装置を用いて無線で充電する無線充電部と、
無線充電部によって充電されたエネルギーで電源を供給する電源供給部と、
を含む３Ｄメガネ。
【請求項２】
前記無線充電部は、
共鳴波を用いて無線で充電することを特徴とする請求項１に記載の３Ｄメガネ。
【請求項３】
前記無線充電部は、
前記外部装置から送信される前記共鳴波を無線で受信する受信共振器と、
前記受信された共鳴波を直流に整流する整流器と、
前記整流された直流の電圧を一定に維持するように調整する電圧調整部と、
前記電圧を充電する充電部と、
を含むことを特徴とする請求項２に記載の３Ｄメガネ。
【請求項４】
前記受信共振器は、
前記３Ｄディスプレイ装置内に含まれた送信共振器の共振周波数のような共振周波数をもつことを特徴とする請求項３に記載の３Ｄメガネ。
【請求項５】
前記受信共振器は、前記３Ｄメガネのメガネフレームに位置することを特徴とする請求項３に記載の３Ｄメガネ。
【請求項６】
前記受信共振器は、前記３Ｄメガネのテンプル（つる）に位置することを特徴とする請求項３に記載の３Ｄメガネ。
【請求項７】
前記外部装置は、
３Ｄディスプレイ装置であることを特徴とする請求項１に記載の３Ｄメガネ。
【請求項８】
前記無線充電部は、
無接点充電方式を用いて無線で充電することを特徴とする請求項１に記載の３Ｄメガネ。
【請求項９】
前記無線充電部は、
前記外部装置の１次コイルに磁気的に結合され、誘導起電力を発生させる２次コイルと、
前記発生した誘導起電力を直流に整流する整流器と、
前記保存された直流の電圧を一定に維持するように調整する電圧調整部と、
前記電圧を充電する充電部と
を含むことを特徴とする請求項８に記載の３Ｄメガネ。
【請求項１０】
前記外部装置は、
１次コイルを含む充電用クレイドル（ｃｒａｄｌｅ）であることを特徴とする請求項９に記載の３Ｄメガネ。
【請求項１１】
前記充電部は、
スーパーキャパシタであることを特徴とする請求項３に記載の３Ｄメガネ。
【請求項１２】
３Ｄメガネを充電するための充電用クレイドルにおいて、
電源を供給する電源部と、
前記３Ｄメガネを充電するために前記供給される電源を用いてエネルギーを無線で伝送する無線伝送部と、
を含む充電用クレイドル。
【請求項１３】
前記充電用クレイドルは、
前記３Ｄディスプレイ装置に取り付けられていることを特徴とする請求項１２に記載の充電用クレイドル。
【請求項１４】
前記充電用クレイドルは、
複数個の３Ｄメガネを掛けておけるような形態、複数個の３Ｄメガネを分けて入れておけるような形態、複数個の３Ｄメガネを一箇所に入れておけるような形態、複数個の３Ｄメガネを載せておけるような形態のうち、いずれか一つであることを特徴とする請求項１２に記載の充電用クレイドル。
【請求項１５】
共鳴波を送信する送信共振器を含む３Ｄディスプレイ装置と、
前記送信された共鳴波を受信する受信共振器と、前記受信された共鳴波を直流に整流する整流器と、前記整流された直流の電圧を一定に維持できるように調整する電圧調整器及び前記整流された電圧を保存する充電部とを含む３Ｄメガネと、
を含む３Ｄメガネの無線充電システム。
【発明の詳細な説明】
【技術分野】
【０００１】
本発明は、３Ｄメガネ、充電用クレイドル、３Ｄディスプレイ装置及び３Ｄメガネ無線充電システムに関し、より詳細には、左眼映像と右眼映像とを交互に表示する方式の３Ｄ映像を視聴するための３Ｄメガネ、充電用クレイドル、３Ｄディスプレイ装置及び３Ｄメガネ無線充電システムに関する。
【背景技術】
【０００２】
３Ｄ立体映像技術は、情報通信、放送、医療、教育、訓練、軍事、ゲーム、アニメーション、仮想現実、ＣＡＤ、産業技術等、その応用分野が非常に多様であり、このような様々な分野で共通して必要とされる次世代の３Ｄ立体マルチメディア情報通信のコア基盤技術といえる。
【０００３】
一般的に、人間が知覚する立体感は、観察しようとする物体の位置による水晶体の厚さの変化度合い、両眼と対象物との角度の差、そして左右眼に見える対象物の位置及び形の相違、対象物の運動によって生じる時差、その他に各種心理及び記憶による効果等が複合的に作用して生じる。
【０００４】
その中でも、人の両眼が横方向に約６〜７ｃｍ程離れていることで生じる両眼時差(ｂｉｎｏｃｕｌａｒ  ｄｉｓｐａｒｉｔｙ)は、立体感において最も重要な要因といえる。即ち、両眼時差によって対象物に対する角度の差が生じたままモノを見るようになり、この差によってそれぞれの眼に入ってくるイメージが相互に異なる像を持つようになって、この二つの映像が網膜を通じて脳へと伝達されると、脳はこの二つの情報を正確に融合して本来の３Ｄ立体映像を感じることができるのである。
【０００５】
３Ｄ映像のディスプレイ装置としては、特殊眼鏡を使う眼鏡式と、特殊眼鏡を使わない非眼鏡式に分けられる。眼鏡式は、相互補色関係にある色フィルターを用いて映像を分離選択する色フィルター方式、直交した偏光素子の組み合わせによる遮光効果を用いて左眼と右眼との映像を分離する偏光フィルター方式及び左眼映像信号と右眼映像信号とをスクリーンに投射する同期信号に対応して、左眼と右眼とを交互に遮断することで、立体感が感じられるようにするシャッターグラス方式が存在する。
【０００６】
一方、ユーザは眼鏡式を用いた３Ｄ映像を視聴するために、ユーザは３Ｄメガネを着用しなければならない。即ち、眼鏡式を用いた３Ｄ映像を視聴するためには、３Ｄ眼鏡が必須の構成となる。
【０００７】
このような３Ｄ眼鏡を充電するためには、使い捨てのバッテリーを挿入したり、ＵＳＢケーブルを用いて充電をしなければならなかった。従って、使い捨てのバッテリーを挿入する場合、毎回バッテリーを取り替えなければならないうえ、費用もかかるという不都合があった。なお、ＵＳＢケーブルを用いて３Ｄ眼鏡を充電する場合、充電する際に、常にＵＳＢケーブルを持っていなければならず、見た目も良くないという短所があった。
【０００８】
従って、ユーザがより簡単に３Ｄ眼鏡を充電できるようにする方策への模索が求められる。
【先行技術文献】
【特許文献】
【０００９】
【特許文献１】韓国特開第２００９−１０３７４９号公報
【特許文献２】日本特開平８−２７８４６８号公報
【特許文献３】韓国特開第１９９８−０２３８６８号公報
【特許文献４】韓国特開第２００８−１１３８１５号公報
【発明の概要】
【発明が解決しようとする課題】
【００１０】
本発明は、前記のような問題を解決するために案出されたものであり、本発明の目的は、外部装置を用いて無電で充電が可能な３Ｄメガネ、充電用クレイドル、３Ｄディスプレイ装置及び３Ｄメガネ無線充電システムを提供することにある。
【課題を解決するための手段】
【００１１】
前記目的を達成するための本発明の一実施形態に係る３Ｄディスプレイ装置と連動する３Ｄメガネは、外部装置を用いて無線で充電する無線充電部と、及び無線充電部によって充電されたエネルギーで電源を供給する電源供給部とを含む。
【００１２】
そして、前記無線充電部は、共鳴波を用いて無線で充電することが望ましい。
【００１３】
なお、前記無線充電部は、前記外部装置から送信される前記共鳴波を無線で受信する受信共振器と、前記受信された共鳴波を直流に整流する整流器と、前記整流された直流の電圧を一定に維持するように調整する電圧調整部と、及び前記電圧を充電する充電部とを含むことが望ましい。
【００１４】
そして、前記受信共振器は、前記３Ｄディスプレイ装置内に含まれた送信共振器の共振周波数のような共振周波数をもつことが望ましい。
【００１５】
なお、前記受信共振器は、前記３Ｄメガネのメガネフレームに位置することが望ましい。
【００１６】
そして、前記受信共振器は、前記３Ｄメガネのテンプル（つる）に位置することが望ましい。
【００１７】
なお、前記外部装置は、３Ｄディスプレイ装置であることが望ましい。
【００１８】
そして、前記無線充電部は、無接点充電方式を用いて無線で充電することが望ましい。
【００１９】
なお、前記無線充電部は、前記外部装置の１次コイルに磁気的に結合され、誘導起電力を発生させる２次コイルと、前記発生した誘導起電力を直流に整流する整流器と、前記保存された直流の電圧を一定に維持するように調整する電圧調整部と、及び前記電圧を充電する充電部とを含むことが望ましい。
【００２０】
そして、前記外部装置は、１次コイルを含む充電用クレイドル（ｃｒａｄｌｅ）であることが望ましい。
【００２１】
なお、前記充電部は、スーパーキャパシタであることが望ましい。
【００２２】
一方、前記目的を達成するための本発明の一実施形態に係る３Ｄメガネを充電するための充電用クレイドルは、電源を供給する電源部と、前記３Ｄメガネを充電するために前記供給される電源を用いてエネルギーを無線で伝送する無線伝送部とを含む。
【００２３】
そして、前記充電用クレイドルは、前記３Ｄディスプレイ装置に取り付けられていることを望ましい。
【００２４】
なお、前記充電用クレイドルは、複数個の３Ｄメガネを掛けておけるような形態であることが望ましい。
【００２５】
そして、前記充電用クレイドルは、複数個の３Ｄメガネを分けて入れておけるような形態であることが望ましい。
【００２６】
なお、前記充電用クレイドルは、複数個の３Ｄメガネを一箇所に入れておけるような形態であることが望ましい。
【００２７】
そして、前記充電用クレイドルは、複数個の３Ｄメガネを載せておけるような形態であることが望ましい。
【００２８】
一方、前記目的を達成するための本発明の一実施形態に係る３Ｄメガネと連動する３Ｄディスプレイ装置は、電源を供給する電源部と、前記３Ｄメガネを充電するために前記供給される電源を用いてエネルギーを無線で伝送する無線伝送部とを含む。
【００２９】
一方、前記目的を達成するための本発明の一実施形態に係る共鳴波を送信する送信共振器を含む３Ｄディスプレイ装置と、及び前記送信された共鳴波を受信する受信共振器と、前記受信された共鳴波を直流に整流する整流器と、前記整流された直流の電圧を一定に維持できるように調整する電圧調整器及び前記整流された電圧を保存する充電部とを含む３Ｄメガネとを含む。
【００３０】
一方、前記目的を達成するための本発明の一実施形態に係る磁場を生成する１次コイルを含む充電用クレイドルと、及び前記１次コイルに磁気的に結合され、誘導起電力を発生させる２次コイルと、前記発生した誘導起電力を直流に整流する整流器と、前記保存された直流の電圧を一定に維持するように調整する電圧調整部及び前記整流された電圧を保存する充電部とを含む３Ｄメガネとを含む。
【発明の効果】
【００３１】
上述したように、本発明のよると、３Ｄメガネをケーブル無しでも無線で充電することにより、３Ｄメガネの充電時にユーザの便宜性が増大する。
【図面の簡単な説明】
【００３２】
【図１】本発明の一実施形態に係る３Ｄメガネの無線充電システムを示した図である。
【図２】本発明の一実施形態に係る３ＤＴＶのブロック図を示した図である。
【図３】本発明の一実施形態に係る３Ｄメガネのブロック図を示した図である。
【図４】本発明の一実施形態に係る共鳴波を用いて無線充電する３Ｄメガネの無線充電部の回路図を示した図である。
【図５Ａ】本発明の一実施形態に係る共鳴波を用いて無線充電する３Ｄメガネの受信共振器の位置を示すための図である。
【図５Ｂ】本発明の一実施形態に係る共鳴波を用いて無線充電する３Ｄメガネの受信共振器の位置を示すための図である。
【図６】本発明の一実施形態に係る無接点充電方式を用いる３Ｄメガネの無線充電部と充電用クレイドルのブロック図を示した図である。
【図７Ａ】本発明の一実施形態に係る充電用クレイドルを示した図である。
【図７Ｂ】本発明の一実施形態に係る充電用クレイドルを示した図である。
【図７Ｃ】本発明の一実施形態に係る充電用クレイドルを示した図である。
【図７Ｄ】本発明の一実施形態に係る充電用クレイドルを示した図である。
【図７Ｅ】本発明の一実施形態に係る充電用クレイドルを示した図である。
【発明を実施するための形態】
【００３３】
以下に添付図面を参照しながら、本発明についてより詳細に説明する。
【００３４】
図１は、本発明の一実施形態に係る３Ｄメガネ２００の無線充電システムを示した図である。図１に示されるように、３Ｄメガネ２００の無線充電システムは、３Ｄメガネを充電するために、無線でエネルギーを送信する３ＤＴＶ１００及びエネルギーを無線で受信する３Ｄメガネ２００で構成される。
【００３５】
３ＤＴＶ１００はディスプレイ装置の一種として、カメラなどの撮影装置から受信された３Ｄ映像又はカメラによって撮影されて放送局で編集／加工された後、放送局から送出された３Ｄ映像を受信し、受信された３Ｄ映像を処理した後、それを画面に表示する。特に、３ＤＴＶ１００は３Ｄ映像のフォーマットを参照し、左眼映像と右眼映像とを加工し、加工された左眼映像と右眼映像とが時分割されて交互に表示されるようにする。なお、３ＤＴＶ１００は、左眼映像と右眼映像とが時分割されて表示されるタイミングと同期した同期信号を生成して３Ｄメガネ２００に伝達する。
【００３６】
３Ｄメガネ２００は、３ＤＴＶ１００から受信された同期信号に従って、左眼グラスと右眼グラスとを交互に開閉し、ユーザが左眼と右眼とを介して左眼映像及び右眼映像をそれぞれ視聴できるようにする。
【００３７】
一方、３Ｄメガネ２００が３ＤＴＶ１００から近い距離に位置する場合には、３Ｄメガネ２００は３ＤＴＶ１００から発生する共鳴波を用いて無線で充電される。
【００３８】
以下では、３ＤＴＶ１００から発生する共鳴波を用いた３Ｄメガネ２００の無線充電を説明するために、図２ないし図５Ｂを参照する。図２は、本発明の一実施形態に係る３ＤＴＶ１００のブロック図を示した図である。
【００３９】
図２に示されるように、本実施形態に係る３ＤＴＶ１００は、機能部１１０、電源部１２０、無線充電送信部１３０及び制御部１４０を含む。
【００４０】
機能部１１０は、３ＤＴＶ１００の一般的な機能を行う。具体的に、機能部１１０は外部から３Ｄ放送コンテンツを送信されて３Ｄ放送コンテンツの再生機能を行う。
【００４１】
電源部１２０は、後述の制御部１４０の制御により、３ＤＴＶ１００の各構成に電源を提供する。特に、３Ｄメガネ２００を無線で充電するために、電源部１２０は後述の無線充電送信部１３０に正弦波の電源を供給する。
【００４２】
無線充電送信部１３０は、電源部１２０から供給された電源によって３Ｄメガネ２００を無線充電するための共鳴波を生成する。ここで、共鳴波とは、特定の共振周波数をもつ電磁波のことをいう。
【００４３】
具体的に、無線充電送信部１３０は、送信共振器（図示せず）を含む。送信共振器は、インダクタ（Ｌ）とキャパシタ（Ｃ）で構成された特定の共振周波数をもつ共振回路である。送信共振器は、電源部１２０により供給された電源を通じてアクティベーション（Ａｃｔｉｖａｔｉｏｎ）され、送信共振器は３Ｄメガネ２００内の受信共振器が共振を生じさせられるように、特定の共振周波数をもつ共鳴波を発生させる。送信共振器によって発生した共鳴波を通じて３Ｄメガネ２００は無線で充電ができるようになる。３Ｄメガネ２００で無線充電される詳細な方法は、図３及び図４を参考に後述する。
【００４４】
制御部１４０は、ユーザ操作部（図示せず）から伝達されたユーザ命令に従って、３ＤＴＶ１００の全般的な動作を制御する。
【００４５】
特に、制御部１４０は、電源部１２０及び無線充電送信部１３０を制御し、３ＤＴＶ１００が３Ｄメガネ２００を無線で充電できるようにする。
【００４６】
なお、３ＤＴＶ１００が３Ｄメガネ２００を無線で充電している場合には、制御部１４０は無線充電状態を表示するＧＵＩを生成するように制御することができる。
【００４７】
一方、図３は、本発明の一実施形態に係る３Ｄメガネ２００のブロック図を示した図である。図３に示されるように、本３Ｄメガネ２００は、ＩＲ受信部２１０、制御部２２０、無線充電部２３０、電源供給部２４０、駆動部２５０及びグラス部２６０を含む。
【００４８】
ＩＲ受信部２１０は、３ＤＴＶ１００のメガネ信号送受信部（図示せず）から３Ｄ映像に対する同期信号を受信する。特に、メガネ信号送受信部は、直進性をもつ赤外線を用いて同期信号を放射し、ＩＲ受信部２１０は放射された赤外線から同期信号を受信する。例えば、メガネ信号送受信部からＩＲ受信部２１０に伝達される同期信号は、６０Ｈｚの周波数をもつ赤外線信号である。
【００４９】
無線充電部２３０は、上述の３ＤＴＶ１００の無線充電送信部１３０から発生した共鳴波によって、３Ｄメガネ２００の電源を無線で充電する。
【００５０】
無線充電部２３０に対する具体的な説明は、図４を参照して説明する。図４は、本発明の一実施形態に係る無線充電部２３０を簡略に示した図である。
【００５１】
図４に示されるように、無線充電部２３０は、受信共振器２３１、整流部２３３、電圧調整器２３５及び充電部２３７を含む。受信共振器２３１は、３ＤＴＶ１００の送信共振器から発生する共鳴波を受信する。特に、受信共振器２３１の共振周波数と送信共振器の共振周波数とが互いに同様であることから、受信共振器２３１はアクティベーション（Ａｃｔｉｖａｔｉｏｎ）される。この時、受信共振器２３１は、図５Ａに示されるように、メガネのテンプル（つる）に位置してもよく、図５Ｂに示されるように、３Ｄメガネ２００のグラス部２６０周囲のメガネフレームに位置してもよい。
【００５２】
このような共鳴波によって受信共振器は反応するようになり、受信された共鳴波は整流部２３３によってＤＣに整流される。この時、整流部２３３は示されるように、４つのダイオードを備えるブリッジダイオードと、フィルタリングの役割をするキャパシタを備える。その他にも、整流部２３３はＡＣをＤＣに整流する別の回路が用いられてよい。整流部２３３によって整流されたＤＣ電圧は、常に一定の電圧を維持しているわけではないため、電圧調整器２３５はＤＣ信号を一定の電圧に維持できるように電圧を調整する。この時、電圧調整器２３５としては、ＤＣ／ＤＣコンバータが用いられることができる。充電部２３７は前記整流された一定の電圧を充電する役割を担う。この時、充電部２３７はスーパーキャパシタ又は充電用バッテリーでもよい。
【００５３】
上述の過程を通じて、３ＤＴＶ１００から受信された共鳴波を用いて３Ｄメガネ２００を無線充電できるようになる。
【００５４】
図３について更に説明すると、電源供給部２４０は後述の制御部２２０の制御によって３Ｄメガネ２００の構成に電源を供給する。特に、電源供給部２４０は、上述の無線充電方法によって充電された電源を用いて３Ｄメガネ２００の構成に電源を供給する。
【００５５】
駆動部２５０は、後述の制御部２２０から受信された制御信号に基づいて駆動信号を生成する。特に、後述のグラス部２６０は、左眼クラス及び右眼グラスで構成されるため、駆動部２５０は左眼グラスを駆動させるための左眼グラス駆動信号と、右眼グラスを駆動させるための右眼グラス駆動信号とをそれぞれ生成し、生成された左眼グラス駆動信号を左眼グラスに伝達して右眼グラス駆動信号を右眼グラスに伝達する。
【００５６】
グラス部２６０は上述のように、左眼グラス及び右眼グラスで構成され、駆動部２５０から受信された駆動信号に従って、それぞれのグラスを開閉する。
【００５７】
制御部２２０は、３Ｄメガネ２００の全般的な動作を制御する。特に、制御部２２０はＩＲ受信部２１０で受信された出力信号に基づき、制御信号を生成し、生成された制御信号を駆動部２５０に伝達して駆動部２５０を制御する。
【００５８】
なお、制御部２２０は、上述の方法により、無線充電された電源を３Ｄメガネ２００の構成に供給するように電源供給部２４０を制御する。
【００５９】
一方、図６ないし図７Ｅを参照し、本発明の別の実施形態である無接点方式を用いた３Ｄメガネ２００の無線充電方法について説明する。図６は、本発明の一実施形態に係る無接点充電方式を用いる３Ｄメガネ２００の無線充電部２３０と充電用クレイドル３００のブロック図を示した図である。
【００６０】
図６に示されるように、充電用クレイドル３００は、電源部６０５及び１次コイル６１０を含む。電源部６０５は１次コイル６１０に正弦波の電源を供給して１次コイル６１０に電気が流れるようにする。１次コイル６１０に電気が流れることにより、１次コイル６１０の周囲には磁場が生成する。
【００６１】
特に、充電用クレイドル３００は、図７Ａないし図７Ｅに示されるような形態でよい。具体的に、図７Ａのように、３ＤＴＶ１００の裏面に取り付けることができる。なお、図７Ｂのように、充電用クレイドル（３００−１）は複数個の３Ｄメガネ２００を掛けておくことのできる据置台の形になってもよい。なお、図７Ｃに示されるように、複数個の３Ｄメガネ２００を入れておくことのできる箱状になってもよい。なお、図７Ｄに示されるように、３Ｄメガネ２００を入れておくことのできる籠の形になってもよい。図７Ｅに示されるように、３Ｄメガネを載せることのできる皿の形でもよい。但し、充電用クレイドルは上述の実施形態に限定されるものではなく、別の形態の充電用クレイドルも、本発明の技術的思想が適用されることができる。
【００６２】
一方、充電用クレイドル３００と無線充電するための３Ｄメガネ２００の無線充電部２３０は、２次コイル６２０、整流器６３０、電圧調整器６４０及び充電部６５０を含む。２次コイル６２０が上述の１次コイルから発生する磁場付近に位置する場合、２次コイル６２０には電磁気誘導によって電気が流れるようになる。即ち、１次コイル６１０と２次コイル６２０とが磁気的に結合されて２次コイル６２０に誘導起電力が発生する。このように生成した電気は整流器５３０によってＤＣに整流される。この時、整流器は図４に示されるように、ブリッジダイオード形態をもつ４つのダイオードとフィルタリングの役割をするキャパシタで構成されてよい。無論、上述の形態の整流器だけでなく、別の形態の整流回路も本発明に適用されることができる。なお、電圧調整器６４０は整流されたＤＣ電圧を一定の電圧に維持できるように調整する。なお、充電部６５０は整流されたＤＣ電圧を充電する。この時、充電部６５０は受電用バッテリー又はスーパーキャパシタの形態で実現されることができる。
【００６３】
上述の方法で、３Ｄメガネ２００をケーブル無しでも無線で充電することにより、３Ｄメガネ２００の充電時にユーザの便宜性が増大する。
【００６４】
一方、本実施形態で、３Ｄディスプレイ装置は、３ＤＴＶ１００であると説明したが、これは一実施形態に過ぎず、３Ｄ映像を表示できる機器なら、何れも可能であることはいうまでもない。例えば、ディスプレイ装置は３Ｄモニター、３Ｄ映像プロジェクターなどでもよい。
【００６５】
なお、本実施形態で、共鳴波は発生する装置は、３ＤＴＶ１００であると説明したが、これは一実施形態に過ぎず、受信共振器を含む装置なら何れも可能であることはいうまでもない。例えば、共鳴波が発生する装置は、３Ｄモニター、３Ｄ映像プロジェクター、充電用クレイドルなどでもよい。
【００６６】
なお、本実施形態で、１次コイルを含む装置は充電用クレイドル３００であると説明したが、これは一実施形態に過ぎず、１次コイルを含む装置なら何れも可能であることはいうまでもない。例えば、１次コイルを含む装置は、３ＤＴＶ、３Ｄモニター、３Ｄ映像プロジェクターなどでもよい。
【００６７】
上述のように、本発明によると、３Ｄメガネをケーブル無しでも無線で充電することにより、３Ｄメガネの充電時にユーザの便宜性が増大する。
【００６８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図１】
2011193719.tif 000003
【図２】
2011193719.tif 000004
【図３】
2011193719.tif 000005
【図４】
2011193719.tif 000006
【図５Ａ】
2011193719.tif 000007
【図５Ｂ】
2011193719.tif 000008
【図６】
2011193719.tif 000009
【図７Ａ】
2011193719.tif 000010
【図７Ｂ】
2011193719.tif 000011
【図７Ｃ】
2011193719.tif 000012
【図７Ｄ】
2011193719.tif 000013
【図７Ｅ】
2011193719.tif 000014